【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
電子掲示板のカテゴリを記憶するカテゴリ記憶手段、前記電子掲示板の各カテゴリのスレッドを記憶するスレッド記憶手段、および前記電子掲示板の各スレッドの投稿を記憶する投稿記憶手段から、電子メールを用いて利用者の所望するデータを送信する電子掲示板管理装置であって、
通信回線を通じて外部より電子メールを受信する受信手段と、
前記受信手段により受信した電子メールのアカウントを判定することで、前記電子メールが前記電子掲示板のカテゴリ一覧を要求する第１の種類の電子メールか、前記カテゴリ中の特定のカテゴリのスレッド一覧を要求する第２の種類の電子メールか、前記スレッド中の特定のスレッドの投稿一覧を要求する第３の種類の電子メールかを判定する判定手段と、
前記電子メールが前記第１の種類の電子メールであると判定されたときに、前記カテゴリ記憶手段に記憶されたカテゴリに基づいて、カテゴリ一覧メールを作成し、前記電子メールの送信元に返信する第１の返信手段と、
前記電子メールが前記第２の種類の電子メールであると判定されたときに、前記スレッド記憶手段に記憶された特定のスレッドに基づいて、スレッド一覧メールを作成し、前記電子メールの送信元に返信する第２の返信手段と、
前記電子メールが前記第３の種類の電子メールであると判定されたときに、前記投稿記憶手段に記憶された特定の投稿に基づいて、スレッド本文メールを作成し、前記電子メールの送信元に返信する第３の返信手段とを備えた、電子掲示板管理装置。
【請求項２】
前記第１の返信手段は、前記第２の種類の電子メールを作成するためのアドレス情報を含めたメールを作成して、前記電子メールの送信元に返信する、請求項１に記載の電子掲示板管理装置。
【請求項３】
前記第２の返信手段は、前記第３の種類の電子メールを作成するためのアドレス情報を含めたメールを作成して、前記電子メールの送信元に返信する、請求項１または２に記載の電子掲示板管理装置。
【請求項４】
前記第２の返信手段は、スレッド作成メールを作成するためのアドレス情報を含めたメールを作成して、前記電子メールの送信元に返信し、前記判定手段において、前記電子メールがスレッド作成メールであると判定されたときに、新規スレッドデータを作成して前記スレッド記憶手段に保存する保存手段を備えた、請求項１から３のいずれかに記載の電子掲示板管理装置。
【請求項５】
前記第３の返信手段は、前記スレッド本文メールで表示される投稿の全文を本文に含むメールを作成するためのアドレス情報を含めたメールを作成して、前記電子メールの送信元に返信する、請求項１から４のいずれかに記載の電子掲示板管理装置。
【請求項６】
前記第３の返信手段は、前記スレッドに対する新たな投稿を行うためのアドレス情報を含めたメールを作成して、前記電子メールの送信元に返信する、請求項１から５のいずれかに記載の電子掲示板管理装置。
【請求項７】
前記第Ｎ（Ｎ＝１、２、又は３。）の返信手段は、前記判定手段により前記第Ｎ（Ｎ＝１、２、又は３。）の種類の電子メールと判定されるアカウントを返信先にセットした、カテゴリ一覧メール、スレッド一覧メール、又はスレッド本文メールを作成し、前記電子メールの送信元に返信する、請求項１から６のいずれかに記載の電子掲示板管理装置。
【請求項８】
電子掲示板のカテゴリを記憶するカテゴリ記憶手段、前記電子掲示板の各カテゴリのスレッドを記憶するスレッド記憶手段、および前記電子掲示板の各スレッドの投稿を記憶する投稿記憶手段から、電子メールを用いて利用者の所望するデータを送信する電子掲示板管理プログラムであって、
通信回線を通じて外部より電子メールを受信する受信ステップと、
前記受信ステップにより受信した電子メールのアカウントを判定することで、前記電子メールが前記電子掲示板のカテゴリ一覧を要求する第１の種類の電子メールか、前記カテゴリ中の特定のカテゴリのスレッド一覧を要求する第２の種類の電子メールか、前記スレッド中の特定のスレッドの投稿一覧を要求する第３の種類の電子メールかを判定する判定ステップと、
前記電子メールが前記第１の種類の電子メールであると判定されたときに、前記カテゴリ記憶手段に記憶されたカテゴリに基づいて、カテゴリ一覧メールを作成し、前記電子メールの送信元に返信する第１の返信ステップと、
前記電子メールが前記第２の種類の電子メールであると判定されたときに、前記スレッド記憶手段に記憶された特定のスレッドに基づいて、スレッド一覧メールを作成し、前記電子メールの送信元に返信する第２の返信ステップと、
前記電子メールが前記第３の種類の電子メールであると判定されたときに、前記投稿記憶手段に記憶された特定の投稿に基づいて、スレッド本文メールを作成し、前記電子メー
ルの送信元に返信する第３の返信ステップとをコンピュータに実行させる、電子掲示板管理プログラム。
【請求項９】
前記第１の返信ステップは、前記第２の種類の電子メールを作成するためのアドレス情報を含めたメールを作成して、前記電子メールの送信元に返信する、請求項８に記載の電子掲示板管理プログラム。
【請求項１０】
前記第２の返信ステップは、前記第３の種類の電子メールを作成するためのアドレス情報を含めたメールを作成して、前記電子メールの送信元に返信する、請求項８または９に記載の電子掲示板管理プログラム。
【請求項１１】
前記第２の返信ステップは、スレッド作成メールを作成するためのアドレス情報を含めたメールを作成して、前記電子メールの送信元に返信し、前記判定ステップにおいて、前記電子メールがスレッド作成メールであると判定されたときに、新規スレッドデータを作成して前記スレッド記憶手段に保存する保存ステップをさらにコンピュータに実行させる、請求項８から１０のいずれかに記載の電子掲示板管理プログラム。
【請求項１２】
前記第３の返信ステップは、前記スレッド本文メールで表示される投稿の全文を本文に含むメールを作成するためのアドレス情報を含めたメールを作成して、前記電子メールの送信元に返信する、請求項８から１１のいずれかに記載の電子掲示板管理プログラム。
【請求項１３】
前記第３の返信ステップは、前記スレッドに対する新たな投稿を行うためのアドレス情報を含めたメールを作成して、前記電子メールの送信元に返信する、請求項８から１２のいずれかに記載の電子掲示板管理プログラム。
【請求項１４】
前記第Ｎ（Ｎ＝１、２、又は３。）の返信ステップは、前記判定ステップにより前記第Ｎ（Ｎ＝１、２、又は３。）の種類の電子メールと判定されるアカウントを返信先にセットした、カテゴリ一覧メール、スレッド一覧メール、又はスレッド本文メールを作成し、前記電子メールの送信元に返信する、請求項８から１３のいずれかに記載の電子掲示板管理プログラム。
【手続補正２】
【補正対象書類名】明細書
【補正対象項目名】０００８
【補正方法】変更
【補正の内容】
【０００８】
上記目的を達成するため、この発明のある局面に従うと、電子掲示板管理装置は、電子掲示板のカテゴリを記憶するカテゴリ記憶手段、電子掲示板の各カテゴリのスレッドを記憶するスレッド記憶手段、および電子掲示板の各スレッドの投稿を記憶する投稿記憶手段から、電子メールを用いて利用者の所望するデータを送信する電子掲示板管理装置であって、通信回線を通じて外部より電子メールを受信する受信手段と、受信手段により受信した電子メールのアカウントを判定することで、電子メールが電子掲示板のカテゴリ一覧を要求する第１の種類の電子メールか、カテゴリ中の特定のカテゴリのスレッド一覧を要求する第２の種類の電子メールか、スレッド中の特定のスレッドの投稿一覧を要求する第３の種類の電子メールかを判定する判定手段と、電子メールが第１の種類の電子メールであると判定されたときに、カテゴリ記憶手段に記憶されたカテゴリに基づいて、カテゴリ一覧メールを作成し、電子メールの送信元に返信する第１の返信手段と、電子メールが第２の種類の電子メールであると判定されたときに、スレッド記憶手段に記憶された特定のスレッドに基づいて、スレッド一覧メールを作成し、電子メールの送信元に返信する第２の
返信手段と、電子メールが第３の種類の電子メールであると判定されたときに、投稿記憶手段に記憶された特定の投稿に基づいて、スレッド本文メールを作成し、電子メールの送信元に返信する第３の返信手段とを備える。
好ましくは第１の返信手段は、第２の種類の電子メールを作成するためのアドレス情報を含めたメールを作成して、電子メールの送信元に返信する。
好ましくは第２の返信手段は、第３の種類の電子メールを作成するためのアドレス情報を含めたメールを作成して、電子メールの送信元に返信する。
【手続補正３】
【補正対象書類名】明細書
【補正対象項目名】０００９
【補正方法】変更
【補正の内容】
【０００９】
好ましくは第２の返信手段は、スレッド作成メールを作成するためのアドレス情報を含めたメールを作成して、電子メールの送信元に返信し、電子掲示板管理装置は、判定手段において、電子メールがスレッド作成メールであると判定されたときに、新規スレッドデータを作成してスレッド記憶手段に保存する保存手段を備える。
好ましくは第３の返信手段は、スレッド本文メールで表示される投稿の全文を本文に含むメールを作成するためのアドレス情報を含めたメールを作成して、電子メールの送信元に返信する。
好ましくは第３の返信手段は、スレッドに対する新たな投稿を行うためのアドレス情報を含めたメールを作成して、電子メールの送信元に返信する。
好ましくは第Ｎ（Ｎ＝１、２、又は３。）の返信手段は、判定手段により第Ｎ（Ｎ＝１、２、又は３。）の種類の電子メールと判定されるアカウントを返信先にセットした、カテゴリ一覧メール、スレッド一覧メール、又はスレッド本文メールを作成し、電子メールの送信元に返信する。
【手続補正４】
【補正対象書類名】明細書
【補正対象項目名】００１０
【補正方法】変更
【補正の内容】
【００１０】
この発明の他の局面に従うと、電子掲示板管理プログラムは、電子掲示板のカテゴリを記憶するカテゴリ記憶手段、電子掲示板の各カテゴリのスレッドを記憶するスレッド記憶手段、および電子掲示板の各スレッドの投稿を記憶する投稿記憶手段から、電子メールを用いて利用者の所望するデータを送信する電子掲示板管理プログラムであって、通信回線を通じて外部より電子メールを受信する受信ステップと、受信ステップにより受信した電子メールのアカウントを判定することで、電子メールが電子掲示板のカテゴリ一覧を要求する第１の種類の電子メールか、カテゴリ中の特定のカテゴリのスレッド一覧を要求する第２の種類の電子メールか、スレッド中の特定のスレッドの投稿一覧を要求する第３の種類の電子メールかを判定する判定ステップと、電子メールが第１の種類の電子メールであると判定されたときに、カテゴリ記憶手段に記憶されたカテゴリに基づいて、カテゴリ一覧メールを作成し、電子メールの送信元に返信する第１の返信ステップと、電子メールが第２の種類の電子メールであると判定されたときに、スレッド記憶手段に記憶された特定のスレッドに基づいて、スレッド一覧メールを作成し、電子メールの送信元に返信する第２の返信ステップと、電子メールが第３の種類の電子メールであると判定されたときに、投稿記憶手段に記憶された特定の投稿に基づいて、スレッド本文メールを作成し、電子メールの送信元に返信する第３の返信ステップとをコンピュータに実行させる。
好ましくは第１の返信ステップは、第２の種類の電子メールを作成するためのアドレス情報を含めたメールを作成して、電子メールの送信元に返信する。
好ましくは第２の返信ステップは、第３の電子メールを作成するためのアドレス情報を含めたメールを作成して、電子メールの送信元に返信する。
【手続補正５】
【補正対象書類名】明細書
【補正対象項目名】００１１
【補正方法】変更
【補正の内容】
【００１１】
好ましくは第２の返信ステップは、スレッド作成メールを作成するためのアドレス情報を含めたメールを作成して、電子メールの送信元に返信し、電子掲示板管理プログラムは、判定ステップにおいて、電子メールがスレッド作成メールであると判定されたときに、新規スレッドデータを作成してスレッド記憶手段に保存する保存ステップをさらにコンピュータに実行させる。
好ましくは第３の返信ステップは、スレッド本文メールで表示される投稿の全文を本文に含むメールを作成するためのアドレス情報を含めたメールを作成して、電子メールの送信元に返信する。
好ましくは第３の返信ステップは、スレッドに対する新たな投稿を行うためのアドレス情報を含めたメールを作成して、電子メールの送信元に返信する。
好ましくは第Ｎ（Ｎ＝１、２、又は３。）の返信ステップは、判定ステップにより第Ｎ（Ｎ＝１、２、又は３。）の種類の電子メールと判定されるアカウントを返信先にセットした、カテゴリ一覧メール、スレッド一覧メール、又はスレッド本文メールを作成し、電子メールの送信元に返信する。